(57)【要約】【課題】表示部に対して一定方向に開閉される蓋とを有する炊飯器を複数並べた場合であっても米を投入出来るようにする。【解決手段】機枠５に、複数台の炊飯器２が載置される載置台３と、この載置台３に沿って移動して複数台の炊飯器２に洗米した米を投入する洗米装置４とが設けられており、炊飯器２は表示部２０とこの表示部２０に対して一定方向に開閉される蓋２１とを有し、載置台３には、１台の炊飯器２の載置位置を除く他の載置位置に、他の炊飯器２を、炊飯時に表示部２０を前方側から確認可能とする炊飯姿勢から米投入時に洗米装置４の移動軌道外で蓋２１を開放可能とする回避姿勢へと回転する回転テーブル２５を有している。【選択図】図１
2007216105.tif 000002
【特許請求の範囲】
【請求項１】
機枠に、複数台の炊飯器が載置される載置台と、この載置台に沿って移動して複数台の炊飯器に洗米した米を投入する洗米装置とが設けられており、
前記炊飯器は表示部とこの表示部に対して一定方向に開閉される蓋とを有し、前記載置台には、１台の炊飯器の載置位置を除く他の載置位置に、他の炊飯器を、炊飯時に表示部を前方側から確認可能とする炊飯姿勢から米投入時に洗米装置の移動軌道外で蓋を開放可能とする回避姿勢へと回転する回転テーブルを有していることを特徴とする洗米機。
【請求項２】
前記機枠に、前記載置台の長手方向に沿って配置されたレールと、前記洗米装置を支持し且つ前記レールに沿って移動する支持部材と、この支持部材の移動をレールに対して停止させるブレーキ装置とを設けていること特徴とする請求項１に記載の洗米機。
【請求項３】
前記載置台には、各位置に移動した洗米装置の排水ホースからの排水を受ける樋を設けていることを特徴とする請求項１又は２に記載の洗米機。
【発明の詳細な説明】
【技術分野】
【０００１】
本発明は、例えば、載置台に載置された炊飯器に洗米した米を投入する洗米機に関するものである。
【背景技術】
【０００２】
従来より、米を洗米して炊飯器に洗米した米を投入する洗米機として、例えば、特許文献１に示すものがある。
この洗米機は、フレームと、フレームに移動自在に支持された洗米装置と、フレームの下側に並列される複数の炊飯装置（炊飯器）とを備えており、洗米装置を移動させながら洗米した米を洗米装置の下側に配置した各炊飯器へそれぞれ投入するものである。
【０００３】
このような洗米機では、炊飯器は大型の業務用のものとされ、炊飯器の蓋が着脱できるものとしており、各炊飯器の蓋を当該炊飯器から取り外した後、洗米装置を炊飯器の上方へ順次移動しながらから炊飯器内へ洗米した米を投入していた。
【特許文献１】特開２０００−１５２８７０号公報
【発明の開示】
【発明が解決しようとする課題】
【０００４】
さて、炊飯器の胴廻りに表示部が設けられ、この表示部を手前にした状態で一方向に開閉する蓋（右開き）を備えた炊飯器（以降、片開き炊飯器とする）が数多く市販されている。市販されている片開き炊飯器では、蓋が当該炊飯器から着脱できない構造である。
このような片開きの炊飯器を従来の洗米機のフレームの下側に複数並べて、米を投入するために蓋を開いた状態にすると、開放した蓋が洗米装置の移動軌道上に位置して洗米装置の移動を妨げることから、従来の洗米機では複数の片開きの炊飯器に米を投入することが出来ないという問題があった。
【０００５】
そこで、本発明は、上記問題点に鑑み、表示部に対して一定方向に開閉される蓋とを有する炊飯器を複数並べた場合であっても、炊飯器を回転させることにより米を投入することができる洗米機を提供することを目的とする。
【課題を解決するための手段】
【０００６】
前記目的を達成するため、本発明においては以下の技術的手段を講じた。
即ち、機枠に、複数台の炊飯器が載置される載置台と、この載置台に沿って移動して複数台の炊飯器に洗米した米を投入する洗米装置とが設けられており、前記炊飯器は表示部とこの表示部に対して一定方向に開閉される蓋とを有し、前記載置台には、１台の炊飯器の載置位置を除く他の載置位置に、他の炊飯器を、炊飯時に表示部を前方側から確認可能とする炊飯姿勢から米投入時に洗米装置の移動軌道外で蓋を開放可能とする回避姿勢へと回転する回転テーブルを有している点にある。
【０００７】
これによれば、回転テーブルによって、炊飯時には炊飯器の表示部を前方側から確認できる位置にして炊飯を行い易くできると共に、米投入時には洗米装置の移動軌道外で蓋を開放できるようにしているため、炊飯器の蓋が洗米装置の移動を妨げることはなく、洗米装置を移動しながら炊飯器に米を投入することができる。
前記機枠に、前記載置台の長手方向に沿って配置されたレールと、前記洗米装置を支持し且つ前記レールに沿って移動する支持部材と、この支持部材の移動をレールに対して停止させるブレーキ装置とを設けている点にある。
【０００８】
これによれば、洗米装置をスムーズに移動ができると共に、ブレーキ装置により洗米装置が不用意に移動してしまうことを防ぐことができる。特に、ブレーキ装置によって洗米装置が安定的に停止しているので安定した状態で炊飯器に米を投入することが可能となる。
前記載置台には、各位置に移動した洗米装置の排水ホースからの排水を受ける樋を設けている点にある。
【０００９】
これによれば、洗米装置が移動した場合であっても洗米装置からの排水を確実に行うことができる。
【発明の効果】
【００１０】
本発明によれば、表示部に対して一定方向に開閉される蓋とを有する炊飯器を複数並べた場合であっても、炊飯器を回転させることで米を投入することができる。
【発明を実施するための最良の形態】
【００１１】
以下、本発明の実施の形態を図面を参照して説明する。
図１〜図１０に示すように、洗米機１は、米を洗米すると共に該米を水加減水と共に排出するまでを自動で行う自動洗米機であり、当該自動洗米機１は、パックに詰められた米を１袋分全部投入して洗米することを可能としたパック米対応機である。
図１に示すように、自動洗米機１は、複数台の炊飯器２が載置される載置台３と、載置台３に沿って移動して洗米した米を複数台の炊飯器２に投入する洗米装置４と、載置台３と洗米装置４とを支持する機枠５（フレーム）とを備えている。
【００１２】
以下説明の便宜上、図１見て左手側を左側，右手側を右側をとし、図１の紙面貫通方向を前後方向とする。
図１〜４に示すように、機枠５は、載置台３の前側に位置していて左右方向に間隔をおいて配置された一対の前支柱１０と、載置台３の後側に位置していて左右方向に間隔をおいて配置された一対の後支柱１１と、前支柱１０と後支柱１１とを前後に連結する一対の前後連結部材１２と、後支柱１１の下部を左右に連結する左右連結部材１３とから主構成されている。
【００１３】
前後連結部材１２の前後端部にはキャスタ１４が設けられいてキャスタ１４により移動することができるようになっている。後支柱１１の間には上下一対のレール１５Ｕ，１５Ｄが配置され、それぞれのレール１５Ｕ，１５Ｄの両端部は後支柱１１に連結されている。
左右各後支柱１１には当該後支柱１１から後方側へ突出するブラケット１６が設けられており、このブラケット１６間に排水用の樋１７が設けられている。樋１７の底部１８は、左右方向一方（左側）から左右方向他方（右側）にいくに従って次第に下方に移行する傾斜状とされており、この底部１８の左右方向右側には、樋１７内の排水を外部へ排出する排出口１９が形成されている。
【００１４】
載置台３は平面視で矩形状に形成されており、その四隅が前記各支柱１０，１１に螺子又は溶接等によりそれぞれ取り付けられている。載置台３に載置される炊飯器２は、例えば、市販されている一般的なもので炊飯器２の炊飯状態等を表示する表示部２０を前方側に向けたとき（表示部２０が前方から見える状態）、炊飯器２に設けられた蓋２１が右開きるように構成されている。言い換えれば、炊飯器２は、表示部２０とこの表示部２０に対して一定方向（右開き）に開閉される蓋２１とを有しているもので、表示部２０では浸し，点火，炊飯，蒸し等の炊飯状態を表示することができる。
【００１５】
前記載置台３は載置した炊飯器２を回転させる回転テーブル２５を有している。回転テーブル２５は載置台３の左側で幅方向（前後方向）の略中央部に配置されており、回転テーブル２５の炊飯器載置部２６には、炊飯器２の脚部２７が嵌り込んで係止する係止部２８が設けられている。係止部２８は平面視で略コの字形のアングルで構成されており、当該アングルに炊飯器２の脚部２７を嵌め込むことで回転テーブル２５上における炊飯器２の位置決めを行うことができる。
【００１６】
図５，６に示すように、回転テーブル２５の回転軸２９は下方に向けられていて、回転軸２９の突出側には回転テーブル２５を所定の角度で回転させる回転機構３０が設けられている。
回転機構３０は、回転軸２９を回転自在に支持するハウジング３１と、このハウジング３１が取り付けられる取付部材３２と、取付部材３２を載置台３に固定する固定部材３３と、回転テーブル２５の回転方向及び角度を切り換える切換部材３４とを有している。
【００１７】
固定部材３３は左右一対のＬ形アングルで構成され、載置台３の上板３５の裏側に間隔をおいて配置されている。このアングル３３Ｌ，３３Ｒの軸心は載置台３の幅方向（前後方向）に向けられていて、左右各アングル３３Ｌ，３３Ｒの上部３６が上板３５の裏側に固着されている。
取付部材３２は上方開放型の箱状に形成され、左右各アングル３３Ｌ，３３Ｒの間に配置されている。取付部材３２の側部３７は左右各アングル３３Ｌ，３３Ｒの側部３８に固着されている。取付部材３２の底部にはハウジング３１を挿通する挿通孔４０が設けられている。
【００１８】
ハウジング３１は筒状に形成され、取付部材３２の挿通孔４０に挿通されている。ハウジング３１にはその外周面から外方に突出するフランジ４１が設けられ、このフランジ４１は取付部材３２の底部３９に螺子等により着脱自在に取り付けられている。ハウジング３１内には、回転軸２９を回転自在に支持するベアリング４２が設けられている。
切換部材３４は、左アングル３３Ｌに固定された固定バー４５と、回転軸２９廻りに移動自在となる移動バー４６と、移動バー４６と固定バー４５とを連結する切換バネ４７とを有している。
【００１９】
固定バー４５は軸心を上下方向に向けて左アングル３３Ｌに固定され、移動バー４６は軸心を上下に向けてその外周部から回転軸２９へ向けて突出したアーム４８を介して回転軸２９に連結されている。移動バー４６は右アングル３３Ｒの下方に位置していて、固定バー４５と移動バー４６との直線距離が最大となる不安定切換ラインＡを切換点とし、切換バネ４７によって時計回り又は反時計回りに移動する。切換バネ４７によって移動した移動バー４６は右アングル３３Ｒの側部３８に設けたクッション４９（ストッパ）に当たることでその移動が停止するようになっている。移動バー４６の回転角度は回転軸２９を中心として略９０°に設定されている。
【００２０】
この回転テーブル２５に対しては、移動バー４６の先端を不安定切換ラインＡよりも前方となる前位置Ｂで停止させた状態で、炊飯器２の表示部２０が前方側から確認できるように当該炊飯器２を置くこととなっている。表示部２０が前方側から確認できる炊飯姿勢から当該炊飯器２を反時計回りに押すことで回転テーブル２５と移動バー４６とを反時計回りに回転移動させ、移動バー４６の先端を不安定切換ラインＡよりも後方側に超えさせると、切換バネ４７のバネ力によって移動バー４６の先端が不安定切換ラインＡよりも後方となる後位置Ｃへ向けて移動し、当該移動バー４６の先端が後位置Ｃで停止する。
【００２１】
即ち、炊飯姿勢の炊飯器２を反時計回りに押すことで、炊飯器２を炊飯姿勢から略９０°回転した回避姿勢に切り替えることができる。
炊飯器２が回避姿勢であるとき、炊飯器２の蓋２１を開閉するヒンジ５０部は平面視で洗米装置４の移動軌道外に位置しており、これにより、洗米装置４の移動軌道外で蓋２１を開放状態にすることができる。
【００２２】
図１，１０に示すように、洗米装置４は載置台３の上方に配置されていて、支持部材５５と、支持部材５５の上部３６に取付固定されたケース５６と、該ケース５６の下面側に取付固定された洗米槽５７と、この洗米槽５７内に水を供給する給水装置５８と、洗米槽５７内の米及び水を攪拌する撹拌装置５９とを備えている。
図１，図７〜９に示すように、支持部材５５は、左右方向に間隔をおいて配置された左右一対の支持脚６０Ｌ，６０Ｒと、左右支持脚６０Ｌ，６０Ｒの下端側同士を連結する下部連結部材６１とから主構成されている。下部連結部材６１の左右両端部には、当該下部連結部材６１から左右方向に突出する弾性変形可能なストッパ７２が設けられている。
【００２３】
各支持脚６０Ｌ，６０Ｒは上下に延びる起立部６２と、起立部６２の上端から前方に向けて屈曲して前倒れ状に傾斜する傾斜部６３とを有している。起立部６２の上下中途部には、当該起立部６２から左右に突出する左右一対の第１ブラケット６４が設けられ、各第１ブラケット６４に横軸６５が設けられ、横軸６５には回転自在な第１ローラ６６が設けられている。また、各第１ブラケット６４には縦軸６７が設けられており、縦軸６７には回転自在な第２ローラ６８が設けられている。
【００２４】
起立部６２の下部には、当該起立部６２から前方に突出する左右一対の第２ブラケット６９が設けられている。各第２ブラケット６９に縦軸７０が設けられ、縦軸７０には回転自在な第３ローラ７１が設けられている。
各第１ローラ６６は上レール１５Ｕの後側面を転動可能に当該上レール１５Ｕに当接していて、各第２ローラ６８は上レール１５Ｕの上面を転動可能に当該上レール１５Ｕに当接している。また、各第３ローラ７１は下レール１５Ｄの前側面を転動可能に当該下レール１５Ｄに当接している。
【００２５】
したがって、各ローラ６６，６８，７１を上下レール１５Ｄに当接することで、起立部６２が略垂直になるように上下レー１５Ｕ，１５Ｄに支持されると共に、洗米装置４が載置台３に沿って移動することができる。
右支持脚６０Ｒには、上下レー１５Ｕ，１５Ｄに沿って移動する支持部材５５を停止させるブレーキ装置７５が設けられている。
【００２６】
ブレーキ装置７５は、右支持脚６０Ｒに揺動自在に支持された操作ハンドル７６と、操作ハンドル７６の下部に設けられて上レール１５Ｕに接触可能なブレーキパット７７と、操作ハンドル７６をブレーキ操作方向に付勢する付勢部材７８とを有している。
操作ハンドル７６の中途部にはブラケット７９を介して横軸８０が設けられ、この横軸８０が右支持脚６０Ｒに揺動自在に取り付けられている。
【００２７】
前記ブレーキパット７７は、弾性変形可能なゴム等から形成され、操作ハンドル７６の下端（ブラケット７９の下端）から前方に突出している。付勢部材７８はスプリング等から構成され、操作ハンドル７６の中途部と右支持脚６０Ｒの起立部６２との間に設けられ、操作ハンドル７６をブレーキ操作方向に付勢している。
したがって、通常、操作ハンドル７６はブレーキ操作方向に位置していてブレーキパット７７と上レール１５Ｕの後面とは接触してブレーキが掛かっている状態であり、この状態から操作ハンドル７６の先端側を下に押し下げてブレーキ解除方向へと操作することにより、ブレーキパット７７を上レール１５Ｕから離して支持部材５５（炊飯装置４）を移動させることができる。
【００２８】
図１０に示すように、洗米装置４のケース５６は、底壁部８３と、この底壁部８３の上方に配置された駆動部Ｋ及び給水管路等を覆うカバー体８４とから主構成されている。底壁部８３は、その後部が左右各支持脚６０Ｌ，６０Ｒの傾斜部６３の上端側に取付固定されている。
カバー体８４は、左右の側面壁８４ａと上壁８４ｂと前面壁８４ｃと背面壁８４ｄとから下端開放状に形成され、前記底壁部８３に取付固定されている。このカバー体８４の上面はパック米を載せるのに使用される米載置面８５とされている。米載置面８５は、前部が左右方向に亘って前後方向中途部に行くに従って下方に移行する傾斜面とされ、後部が左右方向に亘って前後方向中途部に行くに従って下方に移行する傾斜面とされており、米載置面８５にパック米を載せた場合に、米載置面８５の前部傾斜面８５ａ及び後部傾斜面８５ｂがストッパとなることにより該パック米を安定して載せることができる。
【００２９】
洗米槽５７は、米及び水を収容しこれらを攪拌することにより該米を洗米するための洗米槽本体９０と、この洗米槽本体９０の下端側に設けられていて洗米槽本体９０の下端側から洗米水（研ぎ汁）を排水するための排水ジャケット９１と、洗米槽本体９０内の洗米水（研ぎ汁）の水面側の水や洗米水上に浮遊するゴミ等の不純物等を排水するためのオーバーフロー部９２とを備えてなる。
【００３０】
洗米槽本体９０は上下端部が開口状とされており、該洗米槽本体９０の下部は、下端開口に向けて先窄まりとされた円錐形に形成された円錐部９３とされている。また、洗米槽本体９０の上部は前方へ突出する膨出部９４（図３参照）が形成されており、この膨出部９４の上部側がパック米を洗米槽本体９０内に投入する投入口９５とされている。膨出部９４には投入口９５を覆う開閉カバー９６が設けられている。
【００３１】
排水ジャケット９１は洗米槽本体９０とは別部品で構成されていて、取付金具で洗米槽本体９０の下端側に着脱自在に取り付けられている。この排水ジャケット９１は上下方向の軸心を有する略円筒状に形成され、内部が上端開口を介して洗米槽本体９０の下端開口と連通しており、下面側に、洗米された米を排出する排米口９７が形成され、周壁部分には洗米槽本体９０内の洗米水を排水するための排水口９８が形成されている。
【００３２】
オーバーフロー部９２は洗米槽本体９０と連通していて、このオーバーフロー部９２と排水ジャケット９１との間に排水ボックス９９が配置されている。この排水ボックス９９は左側の支持脚６０Ｌに取り付けられたブラケット１００に固定され、排水ジャケット９１の排水口９８からの排水とオーバーフロー部９２からの排水とをまとめて側部に連結された排水ホース１０１から排出するように構成されている。
【００３３】
排水ホース１０１は排水ボックスから右側の支持脚６０Ｒに近づくように配管され、排水ホース１０１の先端側は右側の支持脚６０Ｒに取り付けられたホース用ブラケット１０２に挿通されている。ホース用ブラケット１０２は角筒状に形成された角筒部１０３と、右側の支持脚６０Ｒに取り付けられる取付部１０４とを有している。角筒部１０３は載置台３の後方側に位置する樋１７の上方に位置しており、排水ホース１０１の先端を常に樋１７の上側に案内している。
【００３４】
したがって、洗米装置４が載置台３に沿って移動して洗米装置４の位置が変わった場合であっても洗米装置４からの排水を排水ホース１０１を介して樋１７に流すことができる。
前記給水装置５８は、ケース５６の底壁部８３に取り付けられた左右一対の散水部材１０５と、この散水部材１０５に水を供給する第１〜５の給水管路１０６〜１１０とから構成されている。
【００３５】
散水部材１０５は、板材を下方に凸となる球面状に形成すると共に、多数の散水孔を貫通形成してなり、供給された水を洗米槽本体９０内に上方からシャワー状（拡散状）に散水して供給する。
第１の給水管路１０６は載置台３の下側に配置され、右側端部が水道等の圧力水源に接続され、左側端部がフレキシブルチューブからなる第２の給水管路１０７に接続されている。
【００３６】
第２の給水管路１０７は、第１の給水管路１０６と同様に載置台３の下側に配置されており、第１の給水管路１０６を接続した右側端部は載置台３の長手方向中央よりもやや右寄りに位置していて、当該右側端部は左右連結部材１３に固定されている。第２の給水管路１０７の左側端部は下部連結部材６１に固定されている。
したがって、第２の給水管路１０７は洗米装置４の移動に追随して載置台３の下側で左右方向に移動するようになっている。
【００３７】
第３の給水管路１０８は、右側の支持脚６０Ｒに沿うように上方に立ち上げられ、その一端は第２の給水管路１０７の左側端部に接続され、他端は手動の開閉弁１１１を有する第４の給水管路１０９に接続されている。
第４の給水管路１０９は、 第３の給水管路１０８に続いて右側の支持脚６０Ｒに沿うように上方に立ち上げられると共にケース５６の底壁部８３を貫通してケース５６内に挿入され、上部側で左方に向けて屈曲されている。第４の給水管路１０９に、流量計１１２と電磁開閉弁１１３等とが設けられている。
【００３８】
第５の給水管路１１０は、第４の給水管路１０９の上部側の端部にホース等を介して接続される接続口１１２を有すると共にこの接続口１１２から分岐して左右の各散水部材１０５に水を供給する一対の供給管路を有する。
前記撹拌装置５９は、洗米槽本体９０内の中心上部に配置された回転軸１１５と、この回転軸１１５を駆動するモータ１１７と、回転することにより洗米槽本体９０内の米及び水を攪拌する複数本の攪拌棒１１８とを有する。
【００３９】
回転軸１１５は上下方向の軸心を有する筒軸によって構成され、洗米槽本体９０の中心に配置され且つケース５６の底壁部８３に固定された軸受部材１１９の下側に配置されて該軸受部材１１９に上下方向の軸心回りに回転自在に支持されている。
前記軸受部材１１９の上側にはベベルギヤからなる従動ギヤ１２０が配置され、この従動ギヤ１２０は、軸受部材１１９に上下方向の軸心回りに回転自在に支持されていると共に回転軸に一体回転自在に連結されている。
【００４０】
モータ１１７の出力軸には、前記従動ギヤ１２０に噛合するベベルギヤからなる駆動ギヤ１２１が取り付けられていて、モータ１１７の駆動力が駆動ギヤ１２１と従動ギヤ１２０によって回転軸１１５伝達され該回転軸１１５が回転駆動される。
各撹拌棒１１８は所定の間隔で回転軸１１５廻りに配置されており、回転軸１１５から径外方向に突出する横杆部１２３と、この横杆部１２３の端部から下方に屈曲する縦杆部１２４と、縦杆部１２４の端部から屈曲して傾斜する傾斜部１２５とを備えている。これら横杆部１２３、縦杆部１２４、傾斜部１２５は一体的に形成されている。
【００４１】
したがって、ケース５６の前壁部８４ｃに設けたコントロールパネル１２６のスイッチを押すことで、洗米槽本体９０内に水が給水されると共に撹拌装置５９が駆動されて米が攪拌されて洗米され、洗米後、入力された米量に応じた量の水加減水が供給され、この水加減水と共に洗米槽本体９０から米が排出され、洗米された米が載置台３に載置した炊飯器２に投入される。
【００４２】
以下、自動洗米機１を用いて炊飯器２に投入して炊飯するまでの動作を説明する。
まず、洗米装置４を載置台３の左側に寄せた状態で、載置台３の右側載置位置Ｄに１台の炊飯器２を置く（以下、右側炊飯器２Ｒとする）と共に、載置台３の左側載置位置Ｅ（回転テーブル２５）にもう１台の炊飯器２を置く（以下、左側炊飯器２Ｌとする）。
炊飯器２を置く際は、両炊飯器２Ｌ，２Ｒの表示部２０が前方側から見えて炊飯姿勢となるように載置する。なお、左側炊飯器２Ｌを回転テーブル２５に載置する場合は、移動バー４６の先端を前位置Ｂにしておく。
【００４３】
右側炊飯器２Ｒの蓋２１を開き洗米装置４の移動軌道外で蓋２１を開放した状態する。その後、洗米装置４の操作ハンドル７６を手で下方側に引いてブレーキパット７７状態を解除し、洗米装置４を右側に移動する。当該洗米装置４が右側炊飯器２Ｒの上方に位置して洗米した米を右側炊飯器２Ｒに投入できる位置で、操作ハンドル７６を離してブレーキを掛け洗米装置４を停止させる。洗米装置４で洗米した米を右側炊飯器２Ｒに投入する。
【００４４】
左側炊飯器２Ｌを回転テーブル２５を介して反時計回りに回し炊飯姿勢から回避姿勢にする。回避姿勢となった左側炊飯器２Ｌの蓋２１を開き、洗米装置４の移動軌道外で蓋２１を開放した状態する。その後、右側にある洗米装置４を左側に移動する。当該洗米装置４が左側炊飯器２Ｌの上方に位置して洗米した米を左側炊飯器２Ｌに投入できる位置で、洗米装置４を停止させる。洗米装置４で洗米した米を左側炊飯器２Ｌに投入する。
【００４５】
右側炊飯器２Ｒの蓋２１を閉め、その後に再び洗米装置４を右側に移動し、左側炊飯器２Ｌの蓋２１を閉め、左側炊飯器２Ｌを回転テーブル２５を介して時計回りに回し回避姿勢から炊飯姿勢にする。炊飯姿勢となった左側炊飯器２Ｌのスイッチを入れて炊飯を行うと共に、右側炊飯器２Ｒのスイッチを入れて炊飯を開始する。
以上によれば、回転テーブル２５によって左側炊飯器２Ｌを、炊飯時に表示部２０を前方側から確認可能とする炊飯姿勢から米投入時に洗米装置４の移動軌道外で蓋２１を開放可能とする回避姿勢へと回転させることができるため、左側炊飯器２Ｌの蓋２１を開放してもその蓋２１の位置は洗米装置４の移動軌道外となり、洗米装置４の移動を妨げることがない。しかも、炊飯時には回避姿勢にした左側炊飯器２Ｌを炊飯姿勢にできるため、左側炊飯器２Ｌの表示部２０を確認しながら炊飯を行うことができる。
【００４６】
本発明の自動洗米機１は上記の実施形態に限定されない。即ち、上記の実施の形態では、載置台３に載置される２台の炊飯器２のうち、左側炊飯器２Ｌを載置する左側載置位置Ｅに対して回転テーブル２５を設けているが、炊飯器２が右開きの場合で炊飯器２を３台以上載置する載置台３にあっては、載置台３の右端となる１台の炊飯器２の載置位置（右端載置位置）を除く他の載置位置に対して回転テーブル２５を設けるようにするのが良い。例えば、載置される炊飯器２が右開きで、５台の炊飯器２が載置可能な載置台３では、右端に置かれる炊飯器２の載置位置を除く４台の炊飯器２の載置位置に回転テーブル２５を設けることとなる。
【００４７】
炊飯器２は右開きとは逆の左開きのものであってもよく、左開きの炊飯器２を載置する載置台３にあっては、回転テーブル２５の設ける位置が右開きの炊飯器２を載置するものと比べその位置が左右逆になる。
洗米槽５７と載置台３との間、即ち、排米口９７の下方側に炊飯器２からの熱や水蒸気等を遮る遮熱板を設けることが好ましい。具体的には、板状の遮熱板に洗米された米が通過する通過孔を形成した上で、排米口９７の下方側に当該遮熱板を配置し、遮熱板の一端（左側）をブラケットを介して支持脚６０Ｌに固定する。
【図面の簡単な説明】
【００４８】
【図１】本発明の洗米機の正面図である。
【図２】洗米機の概略平面図である。
【図３】洗米機の側面図である。
【図４】洗米機の正面拡大図である。
【図５】回転テーブルの断面図である。
【図６】回転テーブルの平面図である。
【図７】ブレーキ装置周辺の拡大正面図である。
【図８】ブレーキ装置周辺の拡大側面図である。
【図９】ブレーキ装置周辺の拡大平面図である。
【図１０】洗米装置の内部図である。
【符号の説明】
【００４９】
１    洗米機
２    炊飯器
３    載置台
４    洗米装置
５    機枠
２０  表示部
２１  蓋
２５  回転テーブル
【図１】
2007216105.tif 000003
【図２】
2007216105.tif 000004
【図３】
2007216105.tif 000005
【図４】
2007216105.tif 000006
【図５】
2007216105.tif 000007
【図６】
2007216105.tif 000008
【図７】
2007216105.tif 000009
【図８】
2007216105.tif 000010
【図９】
2007216105.tif 000011
【図１０】
2007216105.tif 000012